(57)【要約】【課題】  軽量ボイド型枠４０を簡単な構造で位置決めする。【解決手段】  格子状の上下端筋２、３間の碁盤目状空間Ｓ内に発泡樹脂製ボイド型枠４０を配置して、コンクリートを打設した二方向コンクリートボイドスラブである。ボイド型枠４０は、縦断面楕円球体の上下を平行面で切り取った形状としたのであり、その周りの方向性はない。球体の上下を平行面で切り取れば、軽量ボイド型枠は、その切り取った上下面４１、４２でもって、上下端筋２、３に固定の支持杆１１、１２により挟んで支持固定してスラブ用型枠１に安定して載置でき、各碁盤目状空間Ｓ内での上下方向の位置決め（方向性）は、スラブ用型枠に置いた時点（載置した時点）でなされる。コンクリート打設時、その載置後の軽量ボイド型枠の各碁盤目状空間Ｓ内からの抜け止めは、上端筋２に固定の支持杆１１でなされる。【選択図】図１
2006009363.tif 000002
【特許請求の範囲】
【請求項１】
格子状の上端筋２と同じく格子状下端筋３が上下に間隔をもって並行に設けられ、その格子状の上下端筋２、３に囲まれた各空間Ｓ内に軽量ボイド型枠４０が配置されて、コンクリートＣが打設された二方向コンクリートボイドスラブに使用される前記軽量ボイド型枠４０であって、
球体の上下を平行面で切り取った形状をなすともに、上記空間Ｓの上部からその空間Ｓ内に装填可能な大きさであり、その装填後には、上記上端筋２に固定の支持杆１１が前記切り取った上面４１に当たってその抜け出しを防止する二方向コンクリートボイドスラブ用軽量ボイド型枠。
【請求項２】
上記球体が縦断面楕円状であることを特徴とする請求項１に記載の二方向コンクリートボイドスラブ用軽量ボイド型枠。
【請求項３】
上記切り取った上面４１中程に凹部４３を形成したことを特徴とする請求項１又は２に記載の二方向コンクリートボイドスラブ用軽量ボイド型枠。
【請求項４】
上記切り取った上面中程に形成した凹部４３の中程に凸部４４を形成したことを特徴とする請求項３に記載の二方向コンクリートボイドスラブ用軽量ボイド型枠。
【請求項５】
格子状の上端筋２と同じく格子状下端筋３が上下に間隔をもって並行に設けられ、その格子状の上下端筋２、３に囲まれた各空間Ｓ内に請求項１乃至４のいずれかに記載の軽量ボイド型枠４０が配置されて、その軽量ボイド型枠４０は前記上端筋２に固定の支持杆１１が前記切り取った上面に当たってその抜け出しを防止している二方向コンクリートボイドスラブ。
【請求項６】
上記下端筋３にも支持杆１２を設けて、この支持杆１２と上記上端筋２に固定の支持杆１１とにより上記軽量ボイド型枠４０を挟んで支持したことを特徴とする請求項５に記載の二方向コンクリートボイドスラブ。
【請求項７】
請求項６に記載の二方向コンクリートボイドスラブを構築する方法であって、
スラブ用型枠１に、格子状の上端筋２と同じく格子状下端筋３を上下に間隔をもって並行に設けて、その下端筋３に上記支持杆１２を固定し、格子状の上下端筋２、３に囲まれた各空間Ｓ内に軽量ボイド型枠４０を前記支持杆１２に載せて配置した後、上記支持杆１１を前記上端筋２に固定して、その両支持杆１１、１２により、前記軽量ボイド型枠４０を挟んで前記空間Ｓ内からの抜け出しを防止した後、コンクリートＣを打設することを特徴とする二方向コンクリートボイドスラブの構築方法。
【発明の詳細な説明】
【技術分野】
【０００１】
この発明は、上下端筋間に碁盤目状に軽量ボイド型枠を配置した二方向コンクリートボイドスラブ、その構築方法及びその構築に使用する前記軽量ボイド型枠に関するものである。
【背景技術】
【０００２】
この種の二方向コンクリートボイドスラブとして、例えば、図４に示すように、床型枠１に、上端筋２を格子状に配置するとともに、下端筋３を同じく格子状に配置し、その格子状内の各碁盤目状空間Ｓ内に発泡樹脂などからなる軽量ボイド型枠４を配置して、コンクリートを打設した構造のものがある（特許文献１参照）。図中、５は、上下端筋２、３に掛け渡されて、各ボイド型枠４の上下面を抑えてその浮き上がりを防止する補助筋である。
【特許文献１】特開２００３−３２１８９４号公報
【０００３】
この二方向コンクリートボイドスラブの構築において、軽量ボイド型枠４は、一般的に、同図に示すように、その形状が方形体状をして前後左右の方向性を有している（特許文献１図１３参照）。この各軽量ボイド型枠４の前後左右の方向が揃わないと、二方向コンクリートボイドスラブの強度設計に狂いが生じるため、各軽量ボイド型枠４の配置時には、その方向が揃うように注意をする必要がある。
この注意を軽減したものとして、軽量ボイド型枠４を球体（真円球体）としてその前後左右の方向性をなくした技術がある（特許文献１図４参照）。
【発明の開示】
【発明が解決しようとする課題】
【０００４】
球体状軽量ボイド型枠４は、上下方向に方向性がなく、全周囲において方向性がないため、その配置に全くその方向性を考慮する必要はない。しかし、その全周囲において方向性がないことにより、各碁盤目状空間Ｓ内で動き易く、その固定手段が煩雑となる。例えば、従来技術では、軽量ボイド型枠４に上方から押さえ金具を嵌り込ませてその移動を阻止して位置決めするようにしている（特許文献１図４参照）。
【０００５】
この発明は、軽量ボイド型枠４を簡単な構造で位置決めし得るようにすることを課題とする。
【課題を解決するための手段】
【０００６】
上記課題を達成するために、この発明は、軽量ボイド型枠を、球体の上下を平行面で切り取った形状としたのである。
球体の上下を平行面で切り取れば、軽量ボイド型枠は、その切り取った下面でもって、スラブ用型枠に安定して載置させることできる。
また、その載置後の軽量ボイド型枠の各碁盤目状空間Ｓ内からの抜け止めは、例えば、切り取った上面に、上端筋に固定の支持杆を当てて行うことができる等と容易であり、作業性もよい。なお、軽量ボイド型枠は、その平面視が円状のため、前後左右の方向性はない。
【発明の効果】
【０００７】
この発明は、軽量ボイド型枠を、球体の上下を平行面で切り取った形状としたので、各碁盤目状空間Ｓ内での方向性がなく、その配置作業が容易となる。
【発明を実施するための最良の形態】
【０００８】
この発明の一実施形態としては、格子状の上端筋と同じく格子状下端筋が上下に間隔をもって並行に設けられ、その格子状の上下端筋に囲まれた各空間内に軽量ボイド型枠が配置されて、コンクリートが打設された二方向コンクリートボイドスラブに使用される前記軽量ボイド型枠において、球体の上下を平行面で切り取った形状をなすともに、前記空間の上部からその空間内に装填可能な大きさであり、その装填後には、前記上端筋に固定の支持杆が前記切り取った上面に当たってその抜け出しを防止する構成を採用し得る。
このとき、上記「空間の上部からその空間内に装填可能な大きさ」とは、その空間に、その真上からスムースに入り得る大きさのみならず、例えば、斜めにして入れる等、人が何らかの工夫をしてその空間に入り得る大きさを言う。
【０００９】
通常、軽量ボイド型枠の上下面とスラブ上下面の間には一定のスラブ厚が必要であることから、軽量ボイド型枠の高さは一定以下に制限されるのに対し、軽量ボイド型枠の横方向は、スラブ強度の関係から、任意の長さを要求され、一般的には、高さに対して長くなる。このため、上記球体が真円球体の場合は、その要求に応えにくく、その球体を縦断面楕円状とすれば、軽量ボイド型枠の高さに対する横方向の長さが大きくなるため（扁平状となるため）、その要求に応え易い。
【００１０】
また、コンクリートスラブにおいて、上階からの振動は、コンクリート部の薄い均一な厚さ部分において共振し易いとされている。このため、軽量ボイド型枠を、その切り取った上面中程に凹部を形成したものとすれば、軽量ボイド型枠上面の薄いコンクリート部が厚さの異なる複数の部分からなるものとなって（全域が均一の厚さでなくなって）、上階からの振動が共振し難くなり、また、凹部の壁面での振動音の拡散により、その音の伝わりが減少し、静かなコンクリートスラブを得ることができる。
【００１１】
さらに、その中程凹部の中程に凸部を形成したものとすれば、その凸部の壁面での上階からの振動音の拡散が加わり、その振動音の拡散効果は向上して、より静かなコンクリートスラブを得ることができるとともに、その凸部上面に、上端筋に固定の支持杆を当てることができるため、軽量ボイド型枠のより確実な支持を行うことができる。
【００１２】
これらの軽量ボイド型枠は、従来と同様にして、格子状の上端筋と同じく格子状下端筋が上下に間隔をもって並行に設けられ、その格子状の上下端筋に囲まれた各空間内に配置されて、上端筋に固定の支持杆が上記切り取った上面に当たってその軽量ボイド型枠の抜け出しを防止する等の二方向コンクリートボイドスラブを構成し得る。
【００１３】
この構成では、軽量ボイド型枠の下面レベルの位置決めをしていないため、軽量ボイド型枠をスラブ用型枠に載置した時、その型枠に直接に置かれる場合が生じ、その場合には、コンクリートの打設による浮力によって上昇し、上端筋に固定の支持杆に上面が当たって位置決めされるようにする。このとき、上昇をスムースかつ確実の位置とするように、軽量ボイド型枠の上昇用ガイドを設けるとよい。
軽量ボイド型枠の下面レベルの位置決めは、例えば、上記下端筋にも支持杆を設けて、この支持杆と上端筋に固定の支持杆とにより軽量ボイド型枠を挟んで支持することにより行うことができる。
【００１４】
これらの二方向コンクリートボイドスラブを構築するには、例えば、スラブ用型枠に、格子状の上端筋と同じく格子状下端筋を上下に間隔をもって並行に設けて、その下端筋に支持杆を固定し、格子状の上下端筋に囲まれた各空間内に上記各軽量ボイド型枠を前記支持杆に載せて配置した後、上端筋に支持杆をさらに固定して、その両支持杆により、前記軽量ボイド型枠を挟んで前記空間内からの抜け出しを防止した後、コンクリートを打設する等の方法を採用する。
【実施例】
【００１５】
図１乃至図３に一実施例を示し、この実施例のボイド型枠４０は、中実の発泡樹脂からなり、図３（ａ）に示すように、縦断面楕円状の球体の上下を平行面で切り取った形状をしている。その上面４１及び下面４２の大きさは、後述の支持杆を当てがってボイド型枠４０を動くことなく支持し得るにように適宜に設定する。例えば、上面４１・下面４２の径：２３１．５ｍｍとする。また、球体の径（ボイド型枠４０の大きさ）も、例えば、径：３５０ｍｍ等として、後述の空間Ｓ内に、斜めにして嵌め込み得るように適宜に設定する。さらに、ボイド型枠４０の高さＨはスラブ厚に応じて適宜に決定し、例えば、スラブ厚から１００ｍｍ引いた値とする。
【００１６】
このボイド型枠４０は、図１、図２に示すように、床型枠１の上に各上下端筋２、３を配設し、その各下端筋３の左右方向の中程に前後方向の鉄筋製支持杆１２を溶接して固定した後、その各上下端筋２、３間の上下に一致した碁盤目状の正方形空間Ｓ内にボイド型枠４０を嵌め込んで、前記支持杆１２上に載置する。その後、各上端筋２の前後方向の中程に左右方向の鉄筋製支持杆１１を溶接して固定し、両支持杆１１、１２により、ボイド型枠４０の上下を押さえて支持固定した後、必要に応じて補助筋などを配置し、コンクリートＣを打設して、二方向コンクリートボイドスラブを構築する。支持杆１１、１２の上下端筋２、３への固定は、溶接に代えて番線による等の種々の手段を採用できる。
【００１７】
ボイド型枠４０の形状としては、図３（ｂ）に示すように、その切り取った上面４１中程に同心の円状凹部４３を形成したものとすれば、上階からの振動が共振し難くなり、その凹部４３の壁面での振動音の拡散により、静かなコンクリートスラブを得ることができる。さらに、同図（ｃ）に示すように、その凹部４３の中程に同じく同心の円状凸部４４を形成したものとすることもできる。この凸部４４を形成したものとすれば、その凸部４４の壁面での上階からの振動音の拡散が加わってその拡散効果が向上して、より静かなコンクリートスラブを得ることができるとともに、その凸部４４上面に、上端筋２に固定の支持杆１１を当てることができるため、軽量ボイド型枠４０のより確実な支持を行うことができる。
【図面の簡単な説明】
【００１８】
【図１】一実施例の概略斜視図
【図２】同実施例の切断正面図
【図３】同実施例のボイド型枠の各例の斜視図
【図４】従来例の概略斜視図
【符号の説明】
【００１９】
１  床型枠
２  上端筋
３  下端筋
１１、１２  支持杆
４０  ボイド型枠
４１  ボイド型枠の切り取り上面
４２  ボイド型枠の切り取り下面
４３  凹部
４４  凸部
Ｓ  碁盤目状空間
【図１】
2006009363.tif 000003
【図２】
2006009363.tif 000004
【図３】
2006009363.tif 000005
【図４】
2006009363.tif 000006